(57)【特許請求の範囲】
【請求項１】
指定されたアドレスに基づいて、当該アドレスに対応するコンテンツをＷＥＢサーバから取得するコンテンツ取得手段と、
前記コンテンツ取得手段によって取得したコンテンツを表示部に表示するコンテンツ表示手段と、
前記指定されたアドレスを前記表示部に表示するアドレス表示手段と、
前記指定されたアドレスが特定のアドレスである場合に、前記コンテンツ取得手段によるコンテンツの取得を許可し、前記指定されたアドレスが前記特定のアドレスでない場合は、前記コンテンツ取得手段によるコンテンツの取得を制限する取得制御を行う取得制御手段と、
前記取得制御手段による取得制御が行われている場合で、かつ前記コンテンツ表示手段がコンテンツを表示する場合は、前記アドレス表示手段によるアドレスの表示を行わず、前記取得制御手段による取得制御が行われていない場合で、かつ前記コンテンツ表示手段がコンテンツを表示する場合は、前記アドレス表示手段によるアドレスの表示を行うように制御する表示制御手段と、
を備えることを特徴とする情報処理装置。
【請求項２】
ユーザによる操作に従って、前記特定のアドレスを入力する入力手段と、
前記入力手段によって入力された前記特定のアドレスを保持する保持手段と、
をさらに備えることを特徴とする請求項１に記載の情報処理装置。
【請求項３】
前記取得制御手段による取得制御を行うか否かを設定する設定手段をさらに備えることを特徴とする請求項１または２に記載の情報処理装置。
【請求項４】
前記指定されたアドレス及び前記特定のアドレスは、ＵＲＬアドレスであることを特徴とする請求項１から３のいずれか１項に記載の情報処理装置。
【請求項５】
前記表示手段は、前記取得制御手段による取得制御が行われている場合、前記コンテンツ表示手段によるコンテンツの表示を、前記アドレス表示手段によるアドレスの表示を行うときよりも大きなサイズで行うように制御することを特徴とする請求項１から４のいずれか１項に記載の情報処理装置。
【請求項６】
前記取得制御手段による取得制御が行われている場合、前記指定されたアドレスに対応するコンテンツを格納するＷＥＢサーバへのアクセスを禁止することを特徴とする請求項１から５のいずれか１項に記載の情報処理装置。
【請求項７】
指定されたアドレスに基づいて、当該アドレスに対応するコンテンツをＷＥＢサーバから取得するコンテンツ取得工程と、
前記コンテンツ取得工程で取得したコンテンツを表示部に表示するコンテンツ表示工程と、
前記指定されたアドレスを前記表示部に表示するアドレス表示工程と、
前記指定されたアドレスが特定のアドレスである場合に、前記コンテンツ取得工程でのコンテンツの取得を許可し、前記指定されたアドレスが前記特定のアドレスでない場合は、前記コンテンツ取得工程でのコンテンツの取得を制限する取得制御を行う取得制御工程と、
前記取得制御工程における取得制御が行われている場合で、かつ前記コンテンツ表示工程でコンテンツを表示する場合は、前記アドレス表示工程におけるアドレスの表示を行わず、前記取得制御手段における取得制御が行われていない場合で、かつ前記コンテンツ表示工程でコンテンツを表示する場合は、前記アドレス表示工程におけるアドレスの表示を行うように制御する表示制御工程と、
を備えることを特徴とする情報処理装置の制御方法。
【請求項８】
コンピュータに、
指定されたアドレスに基づいて、当該アドレスに対応するコンテンツをＷＥＢサーバから取得するコンテンツ取得工程と、
前記コンテンツ取得工程で取得したコンテンツを表示部に表示するコンテンツ表示工程と、
前記指定されたアドレスを前記表示部に表示するアドレス表示工程と、
前記指定されたアドレスが特定のアドレスである場合に、前記コンテンツ取得工程でのコンテンツの取得を許可し、前記指定されたアドレスが前記特定のアドレスでない場合は、前記コンテンツ取得工程でのコンテンツの取得を制限する取得制御を行う取得制御工程と、
前記取得制御工程における取得制御が行われている場合で、かつ前記コンテンツ表示工程でコンテンツを表示する場合は、前記アドレス表示工程におけるアドレスの表示を行わず、前記取得制御手段における取得制御が行われていない場合で、かつ前記コンテンツ表示工程でコンテンツを表示する場合は、前記アドレス表示工程におけるアドレスの表示を行うように制御する表示制御工程と、
を実行させることを特徴とするプログラム。
【請求項９】
アクセス制限設定が有効であるか否かを判定する第１判定手段と、
指定されたアドレスが、アクセス許可アドレスと一致するか否かを判定する第２判定手段と、
前記アクセス制限設定が有効であると前記第１判定手段により判定され、かつ前記指定されたアドレスが前記アクセス許可アドレスと一致すると前記第２判定手段により判定された場合、前記指定されたアドレスに対応するコンテンツを、前記指定されたアドレスを表示することなく表示し、前記アクセス制限設定が有効であると前記第１判定手段により判定され、かつ前記指定されたアドレスがアクセス許可アドレスと一致しないと前記第２判定手段により判定された場合、前記指定されたアドレスに対応するコンテンツを表示することを制限し、前記アクセス制限設定が有効でないと前記第１判定手段により判定された場合、前記指定されたアドレスに対応するコンテンツを、前記指定されたアドレスとともに表示する表示手段と、
を備えることを特徴とする情報処理装置。
【請求項１０】
ユーザによる操作に従って、前記特定のアドレスを入力する入力手段と、
前記入力手段によって入力された前記特定のアドレスを保持する保持手段と、
をさらに備えることを特徴とする請求項９に記載の情報処理装置。
【請求項１１】
前記取得制御手段による取得制御を行うか否かを設定する設定手段をさらに備えることを特徴とする請求項９または１０に記載の情報処理装置。
【請求項１２】
前記指定されたアドレス及び前記特定のアドレスは、ＵＲＬアドレスであることを特徴とする請求項９から１１のいずれか１項に記載の情報処理装置。
【請求項１３】
アクセス制限設定が有効であるか否かを判定する第１判定工程と、
指定されたアドレスが、アクセス許可アドレスと一致するか否かを判定する第２判定工程と、
前記アクセス制限設定が有効であると前記第１判定工程で判定され、かつ前記指定されたアドレスが前記アクセス許可アドレスと一致すると前記第２判定工程で判定された場合、前記指定されたアドレスに対応するコンテンツを、前記指定されたアドレスを表示することなく表示し、前記アクセス制限設定が有効であると前記第１判定工程で判定され、かつ前記指定されたアドレスがアクセス許可アドレスと一致しないと前記第２判定工程で判定された場合、前記指定されたアドレスに対応するコンテンツを表示することを制限し、前記アクセス制限設定が有効でないと前記第１判定工程で判定された場合、前記指定されたアドレスに対応するコンテンツを、前記指定されたアドレスとともに表示する表示工程と、
を有することを特徴とする情報処理装置の制御方法。
【請求項１４】
コンピュータに、
アクセス制限設定が有効であるか否かを判定する第１判定工程と、
指定されたアドレスが、アクセス許可アドレスと一致するか否かを判定する第２判定工程と、
前記アクセス制限設定が有効であると前記第１判定工程で判定され、かつ前記指定されたアドレスが前記アクセス許可アドレスと一致すると前記第２判定工程で判定された場合、前記指定されたアドレスに対応するコンテンツを、前記指定されたアドレスを表示することなく表示し、前記アクセス制限設定が有効であると前記第１判定工程で判定され、かつ前記指定されたアドレスがアクセス許可アドレスと一致しないと前記第２判定工程で判定された場合、前記指定されたアドレスに対応するコンテンツを表示することを制限し、前記アクセス制限設定が有効でないと前記第１判定工程で判定された場合、前記指定されたアドレスに対応するコンテンツを、前記指定されたアドレスとともに表示する表示工程と、
を実行させることを特徴とするプログラム。
【発明の詳細な説明】
【技術分野】
【０００１】
本発明は、ＷＥＢサーバからコンテンツを取得して表示部に表示する情報処理装置及びその制御方法、並びにプログラムに関する。
【背景技術】
【０００２】
一般に、パーソナルコンピュータ（ＰＣ）等の情報処理装置は、ネットワークを介してＷＥＢサーバに接続された環境で使用されることが多い。このような情報処理装置では、ＷＥＢサーバから、ＨＴＭＬ（Ｈｙｐｅｒｔｅｘｔ  Ｍａｒｋｕｐ  Ｌａｎｇｕａｇｅ）などの構造化言語ファイルや画像データファイルをコンテンツとして取得する。そして、この情報処理装置では、ＷＥＢサーバから取得したコンテンツを、情報処理装置に搭載されたＷＥＢブラウザによって、表示部に表示する。
【０００３】
このようなＷＥＢブラウザの表示は、ＷＥＢサーバから取得したコンテンツを表示する領域を備える。これと共に、このＷＥＢブラウザの表示は、コンテンツを取得したＷＥＢサーバのＵＲＬ（Ｕｎｉｆｏｒｍ  Ｒｅｓｏｕｒｃｅ  Ｌｏｃａｔｏｒ）アドレスを表示する領域（アドレスバー）を備える。
【０００４】
このようなＷＥＢブラウザの表示では、ユーザが、アドレスバーに表示されたＵＲＬアドレスを見て、現在ＷＥＢブラウザ上に表示されているコンテンツがどのＷＥＢサーバから取得されたものかを確認することができる。
【０００５】
また、最近では、スキャナやプリンタを備えたＭＦＰ（Ｍｕｌｔｉ  Ｆｕｎｃｔｉｏｎａｌ  Ｐｅｒｉｐｈｅｒａｌ）などの情報処理装置においても、組み込み型のＷＥＢブラウザを搭載したものがある。このようなＭＦＰでは、ネットワークで接続されたＷＥＢサーバのコンテンツを、ＭＦＰ上の操作表示部に表示する。
【０００６】
しかし、ＭＦＰにおける操作表示部は、筐体のサイズ上の制約やコスト削減の制限があるため、表示画面サイズの小さいものが多い。
【０００７】
このため、ＭＦＰの表示部は、一般的なＰＣにおけるＷＥＢブラウザと比較した場合に、コンテンツの一覧性や見栄えが劣る。さらに、ＭＦＰの表示部は、ＭＦＰ自体が有する機能に関する操作を行うための操作画面をＷＥＢサーバから取得して表示する場合がある。この場合、アドレスバーにＵＲＬアドレスが表示されることによって、操作画面がＷＥＢサーバから取得したコンテンツであることがユーザに知られてしまう。つまり、ＭＦＰ内に予め保持されている操作画面を表示する場合と、ＷＥＢサーバから取得した操作画面を表示する場合とでアドレスバーの表示の有無が異なるため、ユーザが混乱する原因になってしまうおそれがある。
【０００８】
このため、ＭＦＰの表示部は、少しでもコンテンツの表示領域を広げるため、またはコンテンツがＷＥＢサーバから取得したものであることをユーザに意識させないために、ＷＥＢブラウザのアドレスバーを非表示にすることがある。
【０００９】
また、従来の複写機、プリンタ等の画像処理装置には、ＷＥＢサーバからの指示によって、アドレスバーを含む操作手段を非表示にする制御を行うものが提案されている。この画像処理装置では、コンテンツ取得元であるＷＥＢサーバから送信された特定の命令に対応して、ＷＥＢブラウザにおけるアドレスバーを含む画面遷移のための操作部を非表示にすることが提案されている（例えば、特許文献１参照）。
【先行技術文献】
【特許文献】
【００１０】
【特許文献１】特開２００８−１８６０６５号公報
【発明の概要】
【発明が解決しようとする課題】
【００１１】
しかし、近年では、いわゆるフィッシング等によるコンテンツ改ざんの問題が指摘されている。このため、情報処理装置では、表示部に表示されたコンテンツが正当なＷＥＢサーバから取得したものかをユーザが確認できるようにするため、アドレスバーによってＵＲＬアドレスを表示することが重要視されている。
【００１２】
さらに、情報処理装置では、アドレスバーを非表示にすると、現在表示されているコンテンツが正当なＷＥＢサーバから取得されたものかを確認できなくなるので、ユーザに不信感を与えてしまう。そこで、従来の情報処理装置では、例え信頼できるＷＥＢサーバからのコンテンツを表示している場合でも、常にアドレスバーを表示している。
【００１３】
このため、従来の情報処理装置では、表示部に表示するコンテンツの表示領域が、アドレスバーを表示する分だけ狭くなってしまい、表示項目の全てを１ページに表示できなくなり、一覧性が低下することとなっていた。
【００１４】
また、従来の情報処理装置には、ＷＥＢサーバからの指示によってアドレスバーを非表示とすることができるものがある。このような情報処理装置では、悪意のあるＷＥＢサーバがアドレスバー非表示の指示を送ってＷＥＢサーバのなりすましを行った場合に、ユーザがＵＲＬアドレスを確認することができなくなるという問題がある。
【００１５】
本発明の目的は、予め設定された信頼のおけるＷＥＢサーバからコンテンツを取得した場合はアドレスバーを非表示にし、操作表示領域を有効活用したコンテンツ表示を可能にする。さらに、予め設定されていないＷＥＢサーバから取得したコンテンツを表示する場合には、アドレスバーによるＵＲＬアドレスの表示を行う。これによって、ユーザが、現在表示しているコンテンツがどのＷＥＢサーバから取得されたものなのかを確認できるようにした情報処理装置及びその制御方法、並びにプログラムを提供することにある。
【課題を解決するための手段】
【００１６】
上記目的を達成するために、本発明の情報処理装置は、指定されたアドレスに基づいて、当該アドレスに対応するコンテンツをＷＥＢサーバから取得するコンテンツ取得手段と、前記コンテンツ取得手段によって取得したコンテンツを表示部に表示するコンテンツ表示手段と、前記指定されたアドレスを前記表示部に表示するアドレス表示手段と、前記指定されたアドレスが特定のアドレスである場合に、前記コンテンツ取得手段によるコンテンツの取得を許可し、前記指定されたアドレスが前記特定のアドレスでない場合は、前記コンテンツ取得手段によるコンテンツの取得を制限する取得制御を行う取得制御手段と、前記取得制御手段による取得制御が行われている場合で、かつ前記コンテンツ表示手段がコンテンツを表示する場合は、前記アドレス表示手段によるアドレスの表示を行わず、前記取得制御手段による取得制御が行われていない場合で、かつ前記コンテンツ表示手段がコンテンツを表示する場合は、前記アドレス表示手段によるアドレスの表示を行うように制御する表示制御手段と、を備えることを特徴とする。
【発明の効果】
【００１７】
本発明によれば、予め設定された信頼のあるＷＥＢサーバのコンテンツを表示しているときはアドレスバーを非表示にする。これによりコンテンツの一覧性や見栄えを向上でき、操作部の表示領域を有効利用したコンテンツ表示を行うことができる。さらに、予め設定されているＷＥＢサーバ以外のＷＥＢサーバから取得したコンテンツを表示する場合には、表示画面にアドレスバーを表示させ、そのＷＥＢサーバのＵＲＬアドレスをユーザが確認することができるようにする。これにより、ユーザは正当なＷＥＢサーバから取得したコンテンツだけを閲覧するようにできるようにして信頼性の向上を図ることができるという効果がある。
【図面の簡単な説明】
【００１８】
【図１】本発明の情報処理装置の第１実施の形態に係るスキャナやプリンタを備えたＭＦＰを含む情報処理システムの全体図である。
【図２】本第１実施の形態に係るＭＦＰの構成を示すブロック図である。
【図３】本第１実施の形態に係るＭＦＰに搭載されるＷＥＢブラウザのソフトウェア構成を示すブロック図である。
【図４】本発明の情報処理装置の第２実施の形態に係るＭＦＰが、ユーザからの指示に基づいてＷＥＢブラウザにおけるコンテンツ画面表示及びデータの設定を行う一連の処理動作の手順を示すフローチャートである。
【図５】（Ａ）乃至（Ｄ）は、それぞれ本発明の情報処理装置に係るスキャナやプリンタを備えたＭＦＰのＷＥＢブラウザが、操作表示部に表示する画面を例示する説明図である。
【図６】本第１実施の形態に係るＭＦＰが、ユーザからの指示に基づいてＷＥＢブラウザにおけるコンテンツ画面表示及びデータの設定を行う一連の処理動作の手順を示すフローチャートである。
【発明を実施するための形態】
【００１９】
以下、本発明の情報処理装置の第１実施の形態に係るスキャナやプリンタを備えたＭＦＰ（Ｍｕｌｔｉ  Ｆｕｎｃｔｉｏｎａｌ  Ｐｅｒｉｐｈｅｒａｌ）について、図１乃至図６を参照しながら説明する。
【００２０】
本第１実施の形態に係るＭＦＰは、予め設定されたＵＲＬアドレスのＷＥＢサーバから取得したアドレスに対応するコンテンツを表示する場合に、アドレスバーを非表示にする。これと共に、このＭＦＰは、予め設定されているＷＥＢサーバ以外のＷＥＢサーバから取得したコンテンツを表示する場合に、アドレスバーを表示するように構成されている。
【００２１】
図１のＭＦＰを含むシステム全体のブロック図に示すように、このシステムでは、ＭＦＰ１０１と、ＷＥＢサーバ１０２、１０３とが、ネットワークによって接続されている。このネットワークは、ＬＡＮ（ローカルエリアネットワーク）１０４やインターネット１０５によって構成されている。
【００２２】
また、ＭＦＰ１０１は、紙媒体をスキャンし、そのスキャンデータに基づいて用紙に画像を形成して出力するコピー機能を持つ。このＭＦＰ１０１は、ＷＥＢブラウザ３００を搭載しており、ＷＥＢサーバ１０２、１０３に保持されているコンテンツを取得し、操作表示部２１１に表示することができる。
【００２３】
次に、ＭＦＰ１０１の構成を、図２のブロック図により説明する。このＭＦＰ１０１は、スキャナ２１３およびプリンタ２１４を接続するとともに、操作表示部２１１、操作入力部２１２及びＬＡＮ１０４を接続することが可能なコントローラユニット２００を備える。
【００２４】
このコントローラユニット２００は、システムバス２１０上に各種デバイスと共に配置された各種制御プログラムを実行するＣＰＵ（Ｃｅｎｔｒａｌ  Ｐｒｏｃｅｓｓｉｎｇ  Ｕｎｉｔ）２０１を備える。このＣＰＵ２０１は、システムバス２１０を介してＲＯＭ（Ｒｅａｄ  Ｏｎｌｙ  Ｍｅｍｏｒｙ）２０３に格納されているブートプログラムに基づきＭＦＰ１０１を起動する。また、このＣＰＵ２０１は、ＨＤＤ（ハードディスク装置）２０４に格納されている制御プログラムを読み出し、ＲＡＭ（Ｒａｎｄｏｍ  Ａｃｃｅｓｓ  Ｍｅｍｏｒｙ）２０２をワークエリアとして所定の処理を実行する。
【００２５】
ＨＤＤ２０４には、ＷＥＢブラウザ３００の機能を含む、各種制御プログラムが格納されている。要するに、コントローラユニット２００は、ＷＥＢブラウザ３００としての機能及び動作を実現することになる。さらに、ＨＤＤ２０４には、スキャナ２１３から読み込んだスキャンデータやネットワークＩ／Ｆ２０７を介して装置外のＷＥＢサーバから取得したコンテンツデータが格納される。
【００２６】
また、システムバス２１０上に配置された操作部出力Ｉ／Ｆ２０５は、操作表示部２１１へのデータ出力通信制御を行う。操作部出力Ｉ／Ｆ２０５に接続された操作表示部２１１は、ユーザへの表示インターフェースである。この操作表示部２１１は、ＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）等の表示装置を備える。
【００２７】
システムバス２１０上に配置された操作部入力Ｉ／Ｆ２０６は、操作表示部２１２からのデータ入力通信制御を行う。操作部入力Ｉ／Ｆ２０６に接続された操作入力部２１２は、タッチパネルやハードキーなどの入力装置を備えた、ユーザからの指示入力インターフェースである。
【００２８】
システムバス２１０上に配置されたネットワークＩ／Ｆ２０７は、ＬＡＮ１０４に接続され、ＬＡＮ１０４を介した情報の入出力制御を行う。
【００２９】
システムバス２１０上に配置されたスキャナＩ／Ｆ２０８は、スキャナ２１３から画像データを入力するとともに、スキャナ制御データの入出力を行う。スキャナ２１３は、ＣＣＤ（Ｃｈａｒｇｅ  Ｃｏｕｐｌｅｄ  Ｄｅｖｉｃｅ）などの光学的な読み取り装置を備え、紙媒体を光学的に走査して、電子的な画像データとして読み取る機能を持つ。
【００３０】
システムバス２１０上に配置されたプリンタＩ／Ｆ２０９は、プリンタ２１４へ出力画像データを出力するとともに、プリンタ制御データの入出力を行う。プリンタ２１４は、電子的な画像データを、用紙などの記録媒体上に画像として形成する機能を持つ。
【００３１】
次に、ＭＦＰ１０１に搭載されるＷＥＢブラウザのソフトウェア構成について図３を参照して説明する。
【００３２】
図３に示すＷＥＢブラウザ３００は、情報処理装置１０１内のコントローラユニット２００に含まれるＣＰＵ２０１が、ＲＯＭ２０３又はＨＤＤ２０４に格納された制御プログラムを読み出して実行することで実現される。
【００３３】
ＷＥＢブラウザ３００に搭載されたコンテンツ取得部３０１は、ネットワークＩ／Ｆ２０７を介して、装置外のＷＥＢサーバと通信を行う機能を備える。より具体的には、ユーザからの指示を受けてＷＥＢサーバからコンテンツを要求したり、要求に基づいてＷＥＢサーバから送信されたコンテンツを受信したりする。
【００３４】
ＷＥＢブラウザ３００のコンテンツ解析部３０２は、コンテンツ取得部３０１によって取得されたコンテンツを解析し、操作表示部２１１に表示する画面を形成する。すなわち、ＷＥＢブラウザ３００は、コンテンツを取得したＷＥＢサーバのアドレスを操作表示部に表示する画面を作成するアドレス描画手段を備える。ＷＥＢサーバから取得したコンテンツは、主にＨＴＭＬなどの構造化言語ファイルや画像データファイルによって作成されており、操作表示部２１１に表示する操作画面の内容が記述されている。
【００３５】
ＷＥＢブラウザ３００の画面表示処理部３０３は、コンテンツ解析部３０２によって解析され、形成された表示画面を操作表示部２１１に表示するように、操作部出力Ｉ／Ｆ２０５に対して指示する。すなわち、このＷＥＢブラウザ３００は、コンテンツ取得手段によって取得したコンテンツの内容を解析し、操作表示部に表示する画面を作成するコンテンツ描画手段を備える。
【００３６】
これにより、操作表示部２１１に、ＷＥＢサーバから取得したコンテンツの内容が表示される。また、ＷＥＢブラウザ３００の各種設定を行う設定画面の表示も指示する。
【００３７】
ＷＥＢブラウザ３００の操作指示入力部３０４は、操作部入力Ｉ／Ｆ２０６を介して、ユーザからの入力指示を受け付ける。この操作指示入力部３０４が受け付ける指示には、ＵＲＬアドレス（アドレス情報）の入力設定指示、操作表示部２１１に表示されたコンテンツ表示画面内に含まれるリンクのアクセス指示及びＷＥＢブラウザ３００の設定画面における設定指示等がある。
【００３８】
ＷＥＢブラウザ３００の非表示アドレス制御部３０５は、ユーザが入力した、アドレスバーを非表示にするＷＥＢサーバのＵＲＬアドレス（アドレス情報）の登録指示を受け付ける。この非表示アドレス制御部３０５は、アドレスバーを非表示にするＷＥＢサーバのＵＲＬアドレス（アドレス情報）の登録指示を、非表示アドレスデータ３０７としてＲＡＭ２０２又はＨＤＤ２０４に保存する。また、この非表示アドレス制御部３０５は、必要に応じて、保存されている非表示アドレスデータ３０７をＲＡＭ２０２又はＨＤＤ２０４から読み出す。すなわち、このＷＥＢブラウザ３００は、操作表示部にアドレスを表示しないコンテンツ取得元のアドレス情報を取得する非表示アドレス情報取得手段を備える。
【００３９】
さらに、アクセス制御アドレス設定部３０６は、ユーザが入力した、アクセスを許可するＷＥＢサーバのＵＲＬアドレスの登録指示を受け付ける。このアクセス制御アドレス設定部３０６は、アクセスを許可するＷＥＢサーバのＵＲＬアドレスの情報を、アクセス許可アドレスデータ３０８として、ＲＡＭ２０２又はＨＤＤ２０４に保存する。
【００４０】
要するに、ＷＥＢブラウザ３００は、コンテンツ取得を許可するＷＥＢサーバのアドレス情報を保存する取得可能アドレス情報保存手段を備える。
【００４１】
また、アクセス制御アドレス設定部３０６は、必要に応じて、保存されているアクセス許可アドレスデータ３０８をＲＡＭ２０２又はＨＤＤ２０４から読み出す。
【００４２】
次に、ＭＦＰ１０１が、ユーザからの指示を受け、その指示の元にＷＥＢブラウザにおけるコンテンツ画面表示及びデータの設定を行う一連の処理動作を図４のフローチャートを参照して説明する。この図４のフローチャートに示す各動作は、ＭＦＰ１０１のＣＰＵ２０１がＲＯＭ２０３又はＨＤＤ２０４に格納されている制御プログラムを実行することにより実現される。
【００４３】
このコンテンツ画面表示及びデータの設定処理では、ＷＥＢブラウザ３００が、ユーザからの操作指示を受けるまで待機する（ステップＳ４０１でＮＯ）。
【００４４】
そして、操作指示入力部３０４が、操作部入力Ｉ／Ｆ２０６を介して、ユーザからのＷＥＢブラウザ３００に対するさまざまな操作指示を受け付けた場合（ステップＳ４０１でＹＥＳ）には、次のステップＳ４０２へ進む。
【００４５】
ステップＳ４０２では、ＷＥＢブラウザ３００が、操作指示入力部３０４によってユーザから入力された操作指示の判別を行う。ここでは、ＷＥＢブラウザ３００は、ユーザから入力された操作指示がアドレスバー表示禁止アドレスの設定登録の指示かどうかを判定する。
【００４６】
ここで、ＷＥＢブラウザ３００が、操作表示部２１１に表示する操作画面は、図５（Ａ）〜（Ｄ）に例示する如くである。この操作画面は、ＷＥＢブラウザ３００の画面表示処理部３０３が、操作部出力Ｉ／Ｆ２０５を介して操作表示部２１１に表示する。
【００４７】
ＷＥＢブラウザ３００は、操作表示部２１１に図５（Ａ）に示すようなアドレスバー表示禁止アドレスの設定画面を表示する。
【００４８】
ここで、アドレスバー表示禁止アドレスとは、ＷＥＢブラウザ３００が、操作表示部２１１にアドレスバーを表示しないＵＲＬアドレスを言う。このアドレスバー表示禁止アドレスが、コンテンツを取得したＷＥＢサーバのＵＲＬアドレスと一致した場合に、ＷＥＢブラウザ３００は、操作表示部２１１にアドレスバーを表示しないように制御する。
【００４９】
このアドレスバー表示禁止アドレスの設定にあたっては、通常、ユーザがＷＥＢサーバのＵＲＬアドレスを確認する必要のない、信頼性のあるＷＥＢサーバのＵＲＬアドレスを設定する。
【００５０】
要するに、このＷＥＢブラウザ３００は、コンテンツ取得手段がコンテンツを取得するＷＥＢサーバのアドレスが、取得可能アドレス情報保存手段のアドレス情報と一致した場合にのみコンテンツ取得する。ＷＥＢブラウザ３００は、このようにコンテンツ取得手段を制御する取得制御手段（アクセス制御手段）を備える。
【００５１】
また、上述のように設定された場合は、予めＵＲＬアドレス（アドレス情報）を登録した信頼性のあるＷＥＢサーバから取得したコンテンツを表示している場合にのみアドレスバーを表示させないようにできる。そして、操作表示部２１１の領域にアドレスバーを表示しない場合には、表示領域の一部がアドレスバーの表示のために占有されないので、表示領域全体を有効に活用してコンテンツ表示を行うことができる。
【００５２】
図５（Ａ）に示すアドレスバー非表示アドレス設定ダイアログ５００上には、アドレスバー非表示設定スイッチ５０１とアドレスバー非表示アドレス設定エディットボックス５０２が表示される。
【００５３】
このアドレスバー非表示設定スイッチ５０１は、アドレスバー非表示アドレスが設定されている場合に、ＵＲＬアドレスの比較によるアドレスバーの非表示処理を行うかどうかを設定するためのスイッチである。
【００５４】
要するに、このＷＥＢブラウザ３００は、操作入力手段によってユーザから入力された、操作表示部にアドレスを表示しないコンテンツ取得元のアドレスを、非表示アドレス情報保存手段に保存する非表示アドレス設定手段を備える。
【００５５】
このアドレスバー非表示設定スイッチ５０１が有効になっている場合に、ＷＥＢブラウザ３００は、非表示アドレスデータ３０７の登録済みＵＲＬアドレスと、コンテンツを取得したＷＥＢサーバのＵＲＬアドレスとを比較する。そして、ＷＥＢブラウザ３００は、これらの比較の結果、一致したアドレスバーの非表示処理を行う。
【００５６】
図５（Ａ）に示すアドレスバー非表示アドレス設定エディットボックス５０２は、アドレスバーを非表示にするコンテンツ取得元のＷＥＢサーバのＵＲＬアドレスを指定するための編集領域である。このアドレスバー非表示アドレス設定エディットボックス５０２は、複数のＷＥＢサーバのＵＲＬアドレスを指定することが可能に構成されている。
【００５７】
また、複数のＵＲＬアドレスが設定された場合には、ＷＥＢブラウザ３００がコンテンツを取得するＷＥＢサーバのＵＲＬアドレスが、そのアドレスバー非表示アドレスの何れかのＵＲＬアドレスと一致するかを判別する。
【００５８】
そして、取得したＷＥＢサーバのＵＲＬアドレスが、指定されているアドレスバー非表示アドレスの何れかと一致している場合には、アドレスバーを非表示にしてコンテンツ表示を行う。
【００５９】
図５（Ａ）に示すアドレスバー非表示アドレス設定ＯＫボタン５０３は、このアドレスバー非表示アドレス設定ダイアログ５００においてユーザが設定した項目を確定するためのボタンである。
【００６０】
次に、図４のフローチャートに示すステップＳ４０２では、ＷＥＢブラウザ３００が、ユーザからの操作入力指示がアドレスバー非表示アドレス設定ＯＫボタン５０３の押下指示であるかどうかを判断する。
【００６１】
そして、ＷＥＢブラウザ３００がアドレスバー非表示アドレス設定ＯＫボタン５０３の押下指示だと判断した場合（ステップＳ４０２でＹＥＳ）には、次のステップＳ４１０の処理を行う。
【００６２】
ステップＳ４１０では、非表示アドレス制御部３０５が、ユーザのアドレスバー非表示アドレス設定の登録指示に従って、非表示アドレスデータ３０７をＲＡＭ２０２又はＨＤＤ２０４に保存後、ステップＳ４０１の処理に戻る。この非表示アドレスデータ３０７は、アドレスバー非表示アドレス設定スイッチ５０１の値及びアドレスバー非表示アドレス設定エディットボックス５０２のＵＲＬアドレスのデータを含む。
【００６３】
また、ステップＳ４０２において、ＷＥＢブラウザ３００は、ユーザからの操作入力指示がアドレスバー非表示アドレス設定の登録指示ではないと判断した場合（ステップＳ４０２でＮＯ）、ステップＳ４０３へ進む。
【００６４】
このステップＳ４０３では、ＷＥＢブラウザ３００が、ユーザからの操作入力指示がＵＲＬアドレスへのアクセス指示であるかどうかを判断する。ここで言う、ＵＲＬアドレスのアクセス指示とは、操作表示部２１１に表示されたコンテンツ内のリンクに対するアクセス指示と、ユーザがＵＲＬアドレスを直接入力したＷＥＢサーバに対するアクセス指示とを含む。
【００６５】
また、ＷＥＢブラウザ３００がＵＲＬアドレスへのアクセス指示ではないと判断した場合（ステップＳ４０３でＮＯ）は、ステップＳ４０１の処理に戻る。
【００６６】
さらに、ＷＥＢブラウザ３００が、ユーザからの操作入力指示がＵＲＬアドレスへのアクセス指示であると判断した場合（ステップＳ４０３でＹＥＳ）には、ステップＳ４０４の処理へ進む。このステップＳ４０４では、コンテンツ取得部３０１が、ユーザによってアクセスを指示されたＵＲＬアドレスのＷＥＢサーバからコンテンツを取得する。
【００６７】
次に、ステップＳ４０５へ進み、ＷＥＢブラウザ３００は、ステップＳ４１０で保存した非表示アドレスデータ３０７の値をもとに、アドレスバー非表示アドレス設定スイッチ５０１の値が有効かどうかを判断する。すなわち、ＷＥＢブラウザ３００は、コンテンツを取得したＷＥＢサーバのＵＲＬアドレスの比較によるアドレスバーの非表示処理を行う設定かどうかを判断する。
【００６８】
ＷＥＢブラウザ３００は、アドレスバー非表示アドレス設定スイッチ５０１の値が無効であると判断した場合（ステップＳ４０５でＮＯ）は、後述するステップＳ４０７の処理を行う。
【００６９】
また、ＷＥＢブラウザ３００がアドレスバー非表示アドレス設定スイッチ５０１の値が有効であると判断した場合（ステップＳ４０５でＹＥＳ）には、ステップＳ４０６の処理へ進む。
【００７０】
このステップＳ４０６において、ＷＥＢブラウザ３００は、コンテンツを取得したＷＥＢサーバのＵＲＬアドレスが、非表示アドレスデータ３０７のＵＲＬアドレスと一致するかどうかを判断する。
【００７１】
ＷＥＢブラウザ３００がコンテンツを取得したＷＥＢサーバのＵＲＬアドレスが非表示アドレスデータ３０７のＵＲＬアドレスと一致しないと判断した場合（ステップＳ４０６でＮＯ）には、ステップＳ４０７の処理へ進む。
【００７２】
このステップＳ４０７において、ＷＥＢブラウザ３００は、コンテンツ解析部３０２に対して、ＷＥＢサーバから取得したコンテンツの解析とコンテンツ表示画面の生成を指示する。さらに、ＷＥＢブラウザ３００は、画面表示処理部３０３に対して、コンテンツ解析部３０２によって生成されたコンテンツ表示画面データを、操作表示部２１１に表示するように指示する。
【００７３】
次にステップＳ４０８において、ＷＥＢブラウザ３００は、ステップＳ４０４においてコンテンツを取得したＷＥＢサーバのＵＲＬアドレスを表示したアドレスバー表示画面を形成する。さらに、ＷＥＢブラウザ３００は、画面表示処理部３０３に対して、そのアドレスバー表示画面の表示を指示する。要するに、このＷＥＢブラウザ３００は、コンテンツ描画手段およびアドレス描画手段から画面を取得して操作部に表示する表示手段を備える。
【００７４】
その後、画面表示処理部３０３は、ステップＳ４０９において、操作部出力Ｉ／Ｆ２０５を介して操作表示部２１１に、指示されたコンテンツ表示画面とアドレスバー表示画面とを表示する。
【００７５】
ここで、ＷＥＢブラウザ３００は、操作表示部２１１に図５（Ｂ）に示すようなＷＥＢブラウザの画面を表示する。このＷＥＢブラウザの画面では、コンテンツ表示領域５１０とアドレスバー表示領域５１１とが操作表示部２１１に表示される。
【００７６】
このコンテンツ表示領域５１０には、ステップＳ４０７で生成したコンテンツ表示画面が表示される。これと共に、アドレスバー表示領域５１１には、ステップＳ４０８で生成したアドレスバー表示画面が表示される。
【００７７】
この表示では、アドレスバー表示領域５１１に、現在コンテンツ表示領域５１０に表示しているコンテンツを取得したＷＥＢサーバのＵＲＬアドレス表示をする。これにより、ユーザは自分が閲覧しているコンテンツがどのＷＥＢサーバにより提供されているものかを知ることができ、安心感を得ることができる。なお、コンテンツ表示領域５１０は、アドレスバー表示画面の分だけ狭くなる。
【００７８】
次に、ＷＥＢブラウザ３００が、コンテンツを取得したＷＥＢサーバのＵＲＬアドレスが非表示アドレスデータ３０７のＵＲＬアドレスと一致すると判断した場合（ステップＳ４０６でＹＥＳ）には、ステップＳ４１１の処理へ進む。
【００７９】
このステップＳ４１１において、ＷＥＢブラウザ３００は、コンテンツ解析部３０２に対して、ＷＥＢサーバから取得したコンテンツの解析とコンテンツ表示画面の生成を指示する。このとき、ＷＥＢブラウザ３００は、アドレスバー表示領域５１１の表示が無いものとして、拡大されたコンテンツ表示画面の生成を指示する。さらに、ＷＥＢブラウザ３００は、画面表示処理部３０３に対して、コンテンツ解析部３０２によって生成されたコンテンツ表示画面データを、操作表示部２１１に表示するように指示する。
【００８０】
次に、画面表示処理部３０３は、ステップＳ４１２に進み、操作部出力Ｉ／Ｆ２０５を介して操作表示部２１１に、指示されたコンテンツ表示画面の表示を行う。
【００８１】
ここで、ＷＥＢブラウザ３００は、操作表示部２１１に図５（Ｃ）に示すようなＷＥＢブラウザの画面を表示する。このＷＥＢブラウザの画面では、コンテンツ表示領域５２０にコンテンツ表示画面のみを表示し、アドレスバーを操作表示部２１１の画面に表示しない。
【００８２】
要するに、このＷＥＢブラウザ３００は、コンテンツ取得手段がコンテンツを取得したＷＥＢサーバのアドレス情報と、非表示アドレス情報取得手段によって得られたアドレス情報とを比較する。そして、ＷＥＢブラウザ３００は、コンテンツ取得元のアドレスが、非表示アドレス情報と一致した場合に、アドレス描画手段が作成した画面を前記表示手段に表示しないように制御するアドレス表示制御手段を備える。
【００８３】
これにより、操作表示部２１１には、コンテンツ表示領域５２０を広く表示することができ、コンテンツ表示における一覧性や操作性を向上することができる。例えば、操作表示部２１１には、画面全面に渡ってコンテンツを表示できるので、コンテンツの一部が隠されることが無い分、表示内容を一覧できる。
【００８４】
また、図４に示した一連の処理によって、予めユーザが登録したＵＲＬアドレスと、ＵＲＬアドレスが一致するＷＥＢサーバのコンテンツを表示したときのみ、アドレスバーを非表示にすることができる。このため、本第１実施の形態に係わるＭＦＰでは、アドレスバーが表示されていなくても、意図したＷＥＢサーバから取得したコンテンツを閲覧しているという安心感をユーザに与えることができる。
【００８５】
次に、本発明の第２実施の形態について、図６のフローチャートを参照しながら説明する。
【００８６】
本第２実施の形態では、本発明の情報処理装置の一例であるＭＦＰが、予め登録されたＷＥＢサーバにのみアクセスを許可するアクセス制限を行っている場合に限ってアドレスバーを非表示とする。また、そうでない場合には、アドレスバーを表示するように構成されている。なお、本第２実施の形態におけるシステム構成等は、前述した第１実施の形態と同等であるため、ここでは、第１実施の形態と異なる部分について説明することとし、共通部分の説明を省略する。
【００８７】
この図６のフローチャートに示す各動作は、ＭＦＰ１０１のＣＰＵ２０１が、ＲＯＭ２０３又はＨＤＤ２０４に格納された制御プログラムを実行することにより実現される。
【００８８】
このコンテンツ画面表示及びデータの設定処理では、ＷＥＢブラウザ３００が、ユーザからの操作指示を受けるまで待機する（ステップＳ６０１でＮＯ）。
【００８９】
そして、操作指示入力部３０４が、操作部入力Ｉ／Ｆ２０６を介して、ユーザからのＷＥＢブラウザ３００に対するさまざまな操作指示を受け付けた場合（ステップＳ４０１でＹＥＳ）には、次のステップＳ６０２へ進む。
【００９０】
ステップＳ６０２では、ＷＥＢブラウザ３００が、操作指示入力部３０４によってユーザから入力されたユーザの操作指示の判別を行う。ここでは、ＷＥＢブラウザ３００は、ユーザからの操作指示が予め登録されたＷＥＢサーバのみを閲覧可能にするアクセス制限の設定指示かどうかを判定する。
【００９１】
ここで、ＷＥＢブラウザ３００が、操作表示部２１１に表示するアクセス制限設定アドレスの設定画面は、図５（Ｄ）に例示する如くである。このアクセス制限設定アドレスとは、アクセス制限設定アドレスと、コンテンツを取得するＷＥＢサーバのＵＲＬアドレスとが一致した場合にのみ、ＷＥＢブラウザ３００が、ＷＥＢサーバへのアクセスを許可するアドレスである。
【００９２】
また、アクセス制限設定アドレスと、コンテンツを取得するＷＥＢサーバのＵＲＬアドレスとが一致しない場合には、ＷＥＢサーバへのアクセスそのものを禁止する。このアクセス制限設定アドレスを指定する場合には、通常、信頼性のあるＷＥＢサーバのＵＲＬアドレスを指定する。
【００９３】
図５（Ｄ）に示すアクセス制限設定アドレス設定ダイアログ５３０上には、アクセス制限設定スイッチ５３１とアクセス許可アドレス設定エディットボックス５３２が表示される。このアクセス制限設定スイッチ５３１は、ＷＥＢブラウザ３００が、登録されたＵＲＬアドレスとの比較による、ＷＥＢサーバに対するアクセス制限そのものを行うかどうかを設定するためのスイッチである。このアクセス制限設定スイッチ５３１が有効になっている状況で、ＷＥＢブラウザ３００は、予め登録されたＵＲＬアドレスとＵＲＬアドレスが一致するＷＥＢサーバに対してのみアクセスする取得制御を行う。
【００９４】
図５（Ｄ）に示すアクセス許可アドレス設定エディットボックス５３２は、コンテンツを取得する際にアクセスを許可するコンテンツ取得元のＷＥＢサーバのＵＲＬアドレスを指定する編集領域である。このアクセス許可アドレス設定エディットボックス５３２は、複数のＷＥＢサーバのＵＲＬアドレスを指定することが可能に構成されている。
【００９５】
図５（Ｄ）に示すアクセス制限設定ＯＫボタン５３３は、このアクセス制限アドレス設定ダイアログ５３０においてユーザが設定した項目を確定するためのボタンである。
【００９６】
次に、図６のフローチャートに示すステップＳ６０２では、ＷＥＢブラウザ３００が、ユーザからの操作入力指示がアクセス制限設定ＯＫボタン５３３の押下指示であるかどうかを判断する。
【００９７】
そしてＷＥＢブラウザ３００が、アクセス制限設定ダイアログ５３０において、ユーザからの操作入力指示がアクセス制限設定ＯＫボタン５３３の押下指示だと判断した場合には、ステップＳ６０９の処理へ移行する。
【００９８】
ステップＳ６０９では、アクセス制限アドレス設定部３０６が、ユーザのアクセス制限設定の登録指示に従って、アクセス許可アドレスデータ３０８をＲＡＭ２０２又はＨＤＤ２０４に保存後、ステップＳ６０１の処理に戻る。このアクセス許可アドレスデータ３０８は、アクセス制限設定スイッチ５３１の値及びアクセス許可アドレス設定エディットボックス５３２のＵＲＬアドレスを含む。
【００９９】
また、ステップＳ６０２において、ＷＥＢブラウザ３００は、ユーザからの操作入力指示がアクセス制限設定ＯＫボタン５３３の押下指示ではないと判断した場合（ステップＳ６０２でＮＯ）、ステップＳ６０３の処理へ進む。
【０１００】
このステップＳ６０３では、ＷＥＢブラウザ３００が、ユーザからの操作入力指示がＵＲＬアドレスへのアクセス指示であるかどうかを判断する。ここで、ＵＲＬアドレスへのアクセス指示ではないと判断した場合は、ステップＳ６０１の処理に戻る。
【０１０１】
さらに、ＷＥＢブラウザ３００が、ユーザからの操作入力指示がＵＲＬアドレスへのアクセス指示であると判断した場合（ステップＳ６０３でＹＥＳ）には、ステップＳ６０４の処理へ進む。
【０１０２】
このステップＳ６０４では、ＷＥＢブラウザ３００が、アクセス許可アドレスデータ３０８のアクセス制限設定スイッチ５３１の値が有効に設定されているかどうかを判断する。そしてアクセス制限設定スイッチの値が無効であると判断された場合（ステップＳ６０４でＮＯ）、つまりＵＲＬアドレスによるＷＥＢサーバへのアクセス制限が行われていないと判断された場合は、ステップＳ６１０の処理へ進む。
【０１０３】
このステップＳ６１０では、コンテンツ取得部３０１が、ユーザによってアクセスを指示されたＵＲＬアドレスのＷＥＢサーバからコンテンツを取得する。
【０１０４】
次に、ステップＳ６１１からステップＳ６１３までの処理によって、まず、ＷＥＢブラウザ３００は、ステップＳ６１０で取得したコンテンツの解析とコンテンツ表示画面の生成を、コンテンツ解析部３０２に指示する。次に、ＷＥＢブラウザ３００は、画像表示処理部３０３に対して、コンテンツ解析部３０２が生成したコンテンツ表示画面の表示を指示する。次に、ＷＥＢブラウザ３００は、画像表示処理部３０３に対して、アドレスバー表示画面の表示を指示する。そして画像表示処理部３０３は、操作部出力Ｉ／Ｆ２０５を介して操作表示部２１１に、コンテンツ表示画面とアドレスバー表示画面の表示を行う。
【０１０５】
なお、上述した一連の処理は、第１実施の形態で説明した図４におけるステップＳ４０７からステップＳ４０９の処理と同等である。
【０１０６】
ステップＳ６１３の処理の後、操作表示部２１１には、図５（Ｂ）に示すように、コンテンツ表示領域５１０とアドレスバー表示領域５１１とが操作表示部２１１に表示された画面が表示される。
【０１０７】
このように、本第２実施の形態に係わる情報処理装置では、操作表示部２１１の画面にアドレスバーを表示する。これにより、ユーザは、現在のコンテンツ表示領域５１０に表示しているコンテンツを取得したＷＥＢサーバのＵＲＬアドレスを確認することができる。
【０１０８】
よって、ユーザは、ＷＥＢサーバに対するアクセス制限が行われていない場合に悪意のあるＷＥＢサーバから取得したコンテンツによって、ユーザが意図しないＷＥＢサーバに接続されているかを確認できる。これにより、ユーザは、安心してコンテンツの閲覧ができる。
【０１０９】
次に、図６に示すステップＳ６０４において、アクセス制限スイッチ５３１の値が有効であると判断された場合（ステップＳ６０４でＹＥＳ）には、ステップＳ６０５の処理へ進む。すなわち、この場合は、ＵＲＬアドレスによるＷＥＢサーバへのアクセス制限が行われていないと判断された場合である。
【０１１０】
次に、ステップＳ６０５において、ＷＥＢブラウザ３００は、ユーザによってアクセス指示されたＵＲＬアドレスが、アクセス許可アドレスデータ３０８のＵＲＬアドレスと一致するかどうかを判断する。
【０１１１】
ユーザからアクセス指示されたＵＲＬアドレスが、アクセス許可アドレスデータ３０８のＵＲＬアドレスと一致しないと判断された場合（ステップＳ６０５でＮＯ）は、不正なアクセスとみなし、何も処理を行わずに終了する。
【０１１２】
また、ユーザからアクセス指示されたＵＲＬアドレスが、アクセス許可アドレスデータ３０８のＵＲＬアドレスと一致すると判断された場合（ステップＳ６０５でＹＥＳ）は、ステップＳ６０６の処理へ進む。
【０１１３】
次に、ステップＳ６０６で、コンテンツ取得部３０１は、ユーザからアクセス指示されたＵＲＬアドレスのＷＥＢサーバからコンテンツを取得する。
【０１１４】
さらに、ＷＥＢブラウザ３００は、コンテンツ解析部３０２に対して、ステップＳ６０６において取得したコンテンツの解析とコンテンツ表示画面の生成を指示する。これと共に、ＷＥＢブラウザ３００は、画像表示処理部３０３に対して、生成したコンテンツ表示画面の表示を指示する（ステップＳ６０７）。
【０１１５】
また、画面表示処理部３０３は、操作部出力Ｉ／Ｆ２０５を介して、操作表示部２１１に、コンテンツ表示画面の表示を行う。
【０１１６】
なお、ステップＳ６０７からＳ６０８までの一連の処理は、前述した第１実施の形態におけるステップＳ４１１からＳ４１２の処理と同等である。
【０１１７】
このステップＳ６０８の処理の後、操作表示部２１１には、図５（Ｃ）に示すようなＷＥＢブラウザの画面が表示される。この画面では、コンテンツ表示領域５２０のみが表示され、アドレスバーは画面に表示されない。
【０１１８】
また、アクセス制限が設定されている場合には、アクセスを許可しているＷＥＢサーバのコンテンツのみが表示される。
【０１１９】
要するに、このＷＥＢブラウザ３００では、取得可能アドレス情報保存手段が、全てのアドレスにアクセス許可を与える設定にされている場合には、アドレス描画手段が作成した画面を前記表示手段に表示する。これと共に、特定のアドレスのみにアクセス許可が与えられている場合には、アドレス描画手段が作成した画面を表示手段に表示しないように制御するアドレス表示制御手段を備える。
【０１２０】
よって、本第２実施の形態に係わる情報処理装置では、ユーザが意図しないＷＥＢサーバのコンテンツを表示する虞がないため、アドレスバーが表示されなくてもユーザに不信感を与えることがない。さらに、この情報処理装置では、アクセス制限が設定されている場合に、ユーザに不安感を与えることなく、コンテンツ表示領域５２０を広く表示することができ、コンテンツ表示における一覧性や操作性を向上することができる。
【０１２１】
なお、本発明は上述した実施の形態に限定されるものではなく、本発明の要旨を逸脱しない範囲で、その他種々の形態を採り得ることは勿論である。
【０１２２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１２３】
１０１  ＭＦＰ
１０２  ＷＥＢサーバ
１０３  ＷＥＢサーバ
１０４  ＬＡＮ
３００  ＷＥＢブラウザ
【図１】
0005455582.tif 000002
【図２】
0005455582.tif 000003
【図３】
0005455582.tif 000004
【図４】
0005455582.tif 000005
【図５】
0005455582.tif 000006
【図６】
0005455582.tif 000007